(57)【要約】【課題】入力端子に接続される機器が変更された場合であっても、接続されている機器の識別名称を適切に表示させるようにする。【解決手段】本発明の映像表示装置は、複数の入力端子に入力される信号から表示対象信号を選択する信号選択手段と、表示対象信号からデータ画像を取得するデータ画像取得手段と、複数の入力端子毎に、１又は複数の特徴画像と特徴画像に対応する識別名称文字列とをデータテーブルとして記憶するデータテーブル記憶手段と、データ画像取得手段により取得されたデータ画像と、データテーブル記憶手段に記憶された何れかの特徴画像とが類似しているかを判定する画像類似判定手段と、画像類似判定手段により類似していると判定された場合に、特徴画像に対応する識別名称文字列を表示対象信号に関連付けて表示させる表示制御手段を備える。【選択図】図１
2018180092.tif 000002
【特許請求の範囲】
【請求項１】
複数の入力端子に入力される信号から表示対象信号を選択する信号選択手段と、
前記表示対象信号からデータ画像を取得するデータ画像取得手段と、
前記複数の入力端子毎に、１又は複数の特徴画像と前記特徴画像に対応する識別名称文字列とをデータテーブルとして記憶するデータテーブル記憶手段と、
前記データ画像取得手段により取得された前記データ画像と、前記データテーブル記憶手段に記憶された何れかの前記特徴画像とが類似しているかを判定する画像類似判定手段と、
前記画像類似判定手段により類似していると判定された場合に、前記特徴画像に対応する識別名称文字列を前記表示対象信号に関連付けて表示させる表示制御手段と
を備えることを特徴とする映像表示装置。
【請求項２】
前記データ画像取得手段は、所定時間、前記入力された信号が変化しない場合に、前記表示対象信号から前記データ画像を取得することを特徴とする請求項１に記載の映像表示装置。
【請求項３】
前記表示制御手段は、前記画像類似判定手段により前記データ画像が何れの前記特徴画像とも類似していないと判定された場合に、前記識別名称文字列が設定されていないことを示すメッセージを前記表示対象信号に関連付けて表示させることを特徴とする請求項１又は２に記載の映像表示装置。
【請求項４】
前記データ画像に設定する前記識別名称文字列を入力する文字列入力手段と、
前記データテーブル記憶手段の前記入力端子に対応する前記データテーブルにおいて、前記データ画像に、前記文字列入力手段により入力された識別名称文字列を関連付けて記憶させる記憶制御手段と、
を備えることを特徴とする請求項３に記載の映像表示装置。
【請求項５】
前記識別名称文字列は、前記データテーブル記憶手段に記憶された、前記表示対象信号が入力された入力端子とは異なる入力端子の前記データテーブルに基づいて、設定されることを特徴とする請求項４に記載の映像表示装置。
【請求項６】
前記表示制御手段は、前記信号選択手段により選択された前記表示対象信号の入力を確認することができない場合に、入力がないことを示すメッセージを前記表示対象信号に関連付けて表示させることを特徴とする請求項１に記載の映像表示装置。
【請求項７】
複数の入力端子毎に、１又は複数の特徴画像と前記特徴画像に対応する識別名称文字列とをデータテーブルとして記憶するデータテーブル記憶手段を備えた映像表示装置における映像表示方法であって、
信号選択手段により、前記複数の入力端子に入力される信号から表示対象信号を選択する信号選択ステップと、
データ画像取得手段により、前記表示対象信号からデータ画像を取得するデータ画像取得ステップと、
画像類似判定手段により、前記データ画像取得ステップにおいて取得された前記データ画像と、前記データテーブル記憶手段に記憶された何れかの前記特徴画像とが類似しているかを判定する画像類似判定ステップと、
表示制御手段により、前記画像類似判定ステップにおいて類似していると判定された場合に、前記特徴画像に対応する識別名称文字列を前記表示対象信号に関連付けて表示させる表示制御ステップと
を備えることを特徴とする映像表示方法。
【請求項８】
コンピュータを、請求項１から６のいずれか１項に記載の映像表示装置の各手段として機能させるためのプログラム。
【発明の詳細な説明】
【技術分野】
【０００１】
本発明は、接続されている映像出力装置の識別名称を表示させる映像表示装置、映像表示方法、及びプログラムに関する。
【背景技術】
【０００２】
従来、複数の入力端子に入力される信号（映像）を切り替えて表示させる映像表示装置が知られている。但し、この映像表示装置では、映像を切り替えるときに表示させるメニューとして、入力端子の名称、又はその名称に数字を付したものを表示させることが多く、ユーザが入力端子に接続されている機器を表示されたメニューから判断することが困難であった。即ち、どの入力端子に、どのような機器が接続されているか判断することができなかった。
【０００３】
そこで、入力端子毎に予め機器の識別名称を関連付けて保持し、入力端子と関連付けて画面に表示する映像表示装置が知られている（特許文献１）。
【先行技術文献】
【特許文献】
【０００４】
【特許文献１】特開２００７−３４０５５号公報
【発明の概要】
【発明が解決しようとする課題】
【０００５】
しかしながら、特許文献１の映像表示装置では、機器の識別名称が設定された入力端子に、その機器とは別の機器が接続された場合であっても、ユーザが機器の識別名称を変更しない限り、変更前の機器の識別名称がメニューに表示されることになる。その結果、ユーザの混乱を招く可能性がある。
【０００６】
本発明は、前記従来の問題に鑑みてなされたものであって、その目的は、入力端子に接続される機器が変更された場合であっても、接続されている機器の識別名称を適切に表示させることができるようにすることである。
【課題を解決するための手段】
【０００７】
上記目的を達成するため、本発明の映像表示装置は、複数の入力端子に入力される信号から表示対象信号を選択する信号選択手段と、前記表示対象信号からデータ画像を取得するデータ画像取得手段と、前記複数の入力端子毎に、１又は複数の特徴画像と前記特徴画像に対応する識別名称文字列とをデータテーブルとして記憶するデータテーブル記憶手段と、前記データ画像取得手段により取得された前記データ画像と、前記データテーブル記憶手段に記憶された何れかの前記特徴画像とが類似しているかを判定する画像類似判定手段と、前記画像類似判定手段により類似していると判定された場合に、前記特徴画像に対応する識別名称文字列を前記表示対象信号に関連付けて表示させる表示制御手段とを備えることを特徴とする。
【発明の効果】
【０００８】
本発明によれば、入力端子に接続される機器が変更された場合であっても、接続されている機器の識別名称を適切に表示させることができる。
【図面の簡単な説明】
【０００９】
【図１】本発明の実施形態に係る映像表示装置の構成を示すブロック図である。
【図２】本発明の実施形態に係る映像表示装置において、特徴画像に、識別名称文字列を関連付けて記憶する処理の手順を示すフローチャートである。
【図３】本発明の実施形態に係る映像表示装置の識別名称文字列・特徴画像記憶部に記憶されるデータのデータ構造を示す図である。
【図４】本発明の実施形態に係る映像表示装置の画像比較類似判定部における処理の手順を示すフローチャートである。
【図５】本発明の実施形態に係る映像表示装置のメニュー作成部で作成されるメニューの例を示す図である。
【発明を実施するための形態】
【００１０】
以下、本発明の実施形態について、図面及びフローチャートを用いて説明する。但し、本発明の技術的範囲は、本実施形態に限定されるものではない。
【００１１】
図１は、実施形態に係る映像表示装置の構成を示すブロック図である。
【００１２】
入力端子１０１は、映像表示装置における入力端子であり、入力端子１０１には、外部映像出力装置からの映像信号や音声信号が入力される。なお、本実施形態に係る映像表示装置では、入力端子を複数、備えることを前提とする。また、入力端子１０１は、種々、伝送方式の異なる映像出力装置の出力信号に対応している。
【００１３】
入力信号１０２は、各入力端子１０１から入力される信号である。なお、図１には図示していないが、映像表示装置には、無信号を検出する無信号検出回路が実装されている。無信号検出回路は、所定時間、入力信号１０２がない場合（即ち、例えば、入力端子１０１に機器が接続されていない場合等）に、入力信号がないことをメニュー作成部１１５に通知する。
【００１４】
表示信号選択部１０３は、各入力端子１０１から入力される複数の入力信号１０２から投影対象とする入力信号（即ち、表示対象信号）を選択する。キャプチャ指示部１０４は、投影されている映像から特徴画像となる画像をキャプチャするタイミングを取得し、画像キャプチャ部１０５に指示する。なお、特徴画像となる画像をキャプチャするタイミングは、所定の時間間隔とすることも、また、ユーザにより設定することもできる。
【００１５】
画像キャプチャ部１０５は、データ画像取得手段の一例であり、キャプチャ指示部１０４により指示されたタイミングで、入力信号１０２から特徴画像とする画像をキャプチャする。特徴画像１０６は、画像キャプチャ部１０５によりキャプチャされた画像であって、接続された機器（即ち、映像出力装置）を特定する上で特徴となる画像である。なお、特徴画像１０６として、例えば、フレーム画像等が想定される。
【００１６】
文字列入力部１０７は、文字列入力手段の一例であり、特徴画像１０６に応じて、ユーザが任意の文字列を入力するための入力部である。文字列入力部１０７は、例えば、キーボード、リモコンのボタン、タッチパネル等である。識別名称文字列１０８は、文字列入力部１０７より入力され、入力端子１０１を識別するための文字列として用いられる。なお、後述するメニューは、識別名称文字列１０８に基づいて生成される。
【００１７】
記憶制御部１０９は、識別名称文字列・特徴画像記憶部１１０に、特徴画像１０６と、識別名称文字列１０８とを関連付けて記憶するように制御する。ここで、特徴画像１０６と関連付けて記憶する識別名称文字列１０８として、文字列入力部１０７より入力された識別名称文字列１０８を用いても、以前に別の特徴画像１０６に関連付けられて記憶されている識別名称文字列１０８を用いてもよい。
【００１８】
識別名称文字列・特徴画像記憶部１１０は、データテーブル記憶手段の一例であり、関連付けられた特徴画像１０６と識別名称文字列１０８とを記憶する。なお、識別名称文字列・特徴画像記憶部１１０に、特徴画像１０６と、識別名称文字列１０８とを関連付けて記憶する処理の手順を、後述の図２を用いて説明する。また、識別名称文字列・特徴画像記憶部１１０に記憶されるデータテーブルを、後述の図３を用いて説明する。
【００１９】
画像比較類似判定部１１１は、画像類似判定手段の一例であり、入力信号１０２から画像データを取得し、識別名称文字列・特徴画像記憶部１１０に記憶されている特徴画像１０６と比較し、類似画像であるか否かを判定する。なお、画像比較類似判定部１１１における処理の手順を、後述の図４を用いて説明する。また、図１において、画像比較類似判定部１１１は、入力端子１０１毎に具備されているが、必ずしも入力端子１０１毎に具備させる必要はない。したがって、例えば、画像比較類似判定部１１１において、特徴画像１０６との比較を実行するモジュールの前段に、入力端子１０１からの入力信号１０２を選択するモジュールを具備させることで、画像比較類似判定部１１１の数を低減することができる。
【００２０】
特徴画像選択トリガ１１２は、画像比較類似判定部１１１における処理の過程で用いる特徴画像１０６を、識別名称文字列・特徴画像記憶部１１０から取得（選択）するためのトリガである。識別名称文字列選択情報１１３は、画像比較類似判定部１１１における画像比較で類似画像と判定された特徴画像１０６に関連付けられた識別名称文字列１０８を選択するための情報である。なお、識別名称文字列選択情報１１３として、例えば、類似と判定された特徴画像１０６のテーブル名とインデックスを想定することができる。また、画像比較類似判定部１１１における画像比較で識別名称文字列・特徴画像記憶部１１０に類似する画像が記憶されていなかった場合、識別名称文字列選択情報１１３として、類似画像がなかったことを示す情報を選択することができる。
【００２１】
更新トリガ１１４は、画像比較類似判定部１１１における処理結果に従って、メニューを更新するためのトリガ（より正確には、メニューを更新する可能性があることを示す情報）であり、メニュー作成部１１５に入力される。
【００２２】
メニュー作成部１１５は、更新トリガ１１４を受けると、類似画像があった場合、識別名称文字列・特徴画像記憶部１１０から識別名称文字列選択情報１１３に基づいて選択された識別名称文字列１０８を読み込み、メニューの更新可否を判定する。また、メニュー作成部１１５は、類似画像が無かった場合、識別名称文字列・特徴画像記憶部１１０から類似画像がなかったことを示す文字列を読み込み、メニューの更新可否を判定する。そして、メニュー作成部１１５は、メニューを更新する必要があると判定すると、識別名称文字列１０８又は類似画像がないことを示す文字列に基づいて、メニューを作成し、表示装置に更新したメニューを表示させる。また、無信号を検出する回路から入力信号がないことが通知された場合も、同様にメニューを作成し、表示装置に更新したメニューを表示させる。即ち、メニュー作成部１１５は、表示制御手段としても機能する。
【００２３】
なお、以上、説明した映像表示装置は、図示しないＣＰＵ（中央演算装置）、ＲＡＭ等のメモリ、ハードディスク等の記憶装置、ネットワークインターフェイス等の一般的なコンピュータの構成と同様の構成により実現することが可能である。また、映像表示装置の各機能は、例えば、ＣＰＵがハードディスク等に記憶されているプログラムを読み出して実行することにより実現される。
【００２４】
図２は、実施形態に係る映像表示装置において、特徴画像に、識別名称文字列１０８を関連付けて記憶する処理の手順を示すフローチャートである。なお、図２のフローチャートに示す処理が開始される事前に、識別名称文字列・特徴画像記憶部１１０に記憶された特徴画像とその特徴画像に対応する識別名称文字列に基づいて、メニュー作成部１１５によりメニューが作成されていることを前提とする。また、図２のフローチャートに示す処理は、例えば、識別名称文字列・特徴画像記憶部１１０に類似画像が記憶されていないことを条件に開始される。
【００２５】
画像キャプチャ部１０５は、所定のキャプチャタイミングで、特徴画像１０６とするフレーム画像をキャプチャ（取得）する（Ｓ２０１）。具体的には、画像キャプチャ部１０５は、現在選択されている入力端子１０１に入力される映像（即ち、フレーム画像のシーケンス）から、所定のキャプチャタイミングに従って、フレーム画像の読み出し処理を実行する。なお、特徴画像１０６として記憶するタイミングに関して、前述のように、所定の時間間隔とすることも、ユーザが設定することもでき、その他、例えば、機器の接続時等とすることもできる。
【００２６】
映像表示装置は、次に、ステップＳ２０２からステップＳ２０４までの処理で特徴画像１０６に関連付けて記憶する識別名称文字列１０８を取得する。映像表示装置は、事前に作成されたメニューを表示装置に表示することで、入力端子１０１において以前に設定された識別名称文字列１０８を使用するか否かをユーザに確認する（Ｓ２０２）。そして、ユーザにより、当該入力端子１０１において以前に設定された識別名称文字列１０８を使用することが選択されると、使用中の識別名称文字列１０８を識別名称文字列・特徴画像記憶部１１０から取得する（Ｓ２０３）。このステップＳ２０２、ステップＳ２０３の処理を実行することで、ユーザによる識別名称文字列１０８を入力する操作を省略することができる。また、ユーザにより、当該入力端子１０１において以前に設定された文字列を使用しないことが選択されると、文字列入力部１０７は、入力された文字列を識別名称文字列１０８として取得する（Ｓ２０４）。
【００２７】
記憶制御部１０９は、識別名称文字列・特徴画像記憶部１１０に記憶されているデータから、現在選択されている入力端子１０１のデータテーブルを選択する（Ｓ２０５）。記憶制御部１０９は、次に、その選択したデータテーブルの空き領域から、ステップＳ２０１で取得した特徴画像１０６と、ステップＳ２０３又はステップＳ２０４で取得した識別名称文字列１０８を記憶する領域を確保する（Ｓ２０６）。なお、記憶制御部１０９は、データテーブルにおいて、データをインデックスの番号が小さい方から順に詰めて記憶するように制御する。即ち、この場合、インデックスの番号が大きいデータほど、後から追加されたデータとして示される。
【００２８】
記憶制御部１０９は、データテーブルを選択し（Ｓ２０５）、さらに記憶領域を確保すると（Ｓ２０６）、その確保した記憶領域に、取得した特徴画像１０６と識別名称文字列１０８を対応させて記憶する（Ｓ２０７）。記憶制御部１０９は、識別名称文字列・特徴画像記憶部１１０において、現在選択されている入力端子１０１のデータテーブルの使用数を１つ増加させる（Ｓ２０８）。なお、このデータテーブルの使用数は、後述のように画像比較類似判定部１１１において特徴画像１０６との比較を実行するときに用いられる。
【００２９】
図３は、実施形態に係る映像表示装置の識別名称文字列・特徴画像記憶部１１０に記憶されるデータのデータ構造を示す図である。識別名称文字列・特徴画像記憶部１１０は、主に２つのデータテーブルを記憶する。一方のデータテーブル（図３（ａ））は、画像の類似判定に用いるデータテーブルであり、識別名称文字列３０２と特徴画像３０３の組み合わせを記憶する。他方のデータテーブル（図３（ｂ））は、図３（ａ）に示すデータテーブルの使用数を、入力端子１０１毎に記憶する。
【００３０】
以下、図３（ａ）及び図３（ｂ）の各々について、順に説明する。図３（ａ）のデータテーブルは、入力端子１０１毎に識別名称文字列・特徴画像記憶部１１０に記憶され、インデックス３０１、識別名称文字列３０２、特徴画像３０３の３つの要素から成るデータ構造（即ち、レコード）を所定数、格納することで構成される。インデックス３０１は、メニュー作成部１１５におけるメニューの作成で、識別名称文字列３０２を読み込むときに用いられ、画像比較類似判定部１１１より識別名称文字列・特徴画像記憶部１１０に通知される。識別名称文字列３０２は、入力端子１０１に対応する名称で、メニューにおいて表示される。なお、異なる複数の特徴画像１０６に対して、同じ識別名称文字列３０２を設定することが可能であることから、データテーブルにおいて、複数のレコードで同じ識別名称文字列３０２が格納される場合がある。特徴画像３０３は、画像キャプチャ部１０５によりキャプチャされた特徴画像１０６である。
【００３１】
図３（ｂ）のデータテーブルは、入力端子識別子３０４、使用数３０５の２つの要素から成るデータ構造を、入力端子１０１の数に応じて格納することで構成される。入力端子識別子３０４は、入力端子１０１を識別するための識別子であり、文字列であっても、番号であってもよい。使用数３０５は、図３（ａ）に示すデータテーブルの使用数であり、前述の図２のステップＳ２０８において更新される。なお、図３には示していないが、識別名称文字列・特徴画像記憶部１１０は、類似画像がないこと（即ち、識別名称が設定されていないこと）を表す文字列として、「名称未設定」等の文字列を、図３（ａ）、図３（ｂ）に示すデータテーブルとは別に記憶する。
【００３２】
図４は、実施形態に係る映像表示装置の画像比較類似判定部１１１における処理の手順を示すフローチャートである。画像比較類似判定部１１１は、入力端子１０１の入力信号１０２から、所定のタイミングでフレーム画像を取得する（Ｓ４０１）。そして、このフレーム画像を特徴画像１０６と比較するデータ画像とする。なお、フレーム画像を取得するタイミングとして、前述のように、所定の時間間隔とすることも、ユーザが設定することもでき、その他、例えば、機器の接続時等とすることもできる。ここで、機器の接続時等に関して、より詳細には、機器を映像表示装置に接続してから一定時間入力画像が変化しない状態となったとき、また信号が無い状態からある状態に変化したとき（即ち、信号の状態に変化があったとき）等を想定することができる。
【００３３】
画像比較類似判定部１１１は、フレーム画像を取得すると（Ｓ４０１）、識別名称文字列・特徴画像記憶部１１０からデータテーブルの選択と、データテーブルの使用数の取得を行う（Ｓ４０２）。なお、ここで取得するデータテーブルは、ステップＳ４０１で取得したフレーム画像が入力された入力端子１０１のデータテーブルの場合と、ステップＳ４０７で、比較の対象とされていないと判定された、別の入力端子１０１のデータテーブルの場合がある。
【００３４】
画像比較類似判定部１１１は、ステップＳ４０２で選択したデータテーブルにおいて、比較の対象とされていない特徴画像１０６があるか否かを判定する（Ｓ４０３）。本実施形態では、データテーブルの使用数３０５を開始値として設定し、比較処理を実行する都度、減算する仕様としているが、画像比較類似判定部１１１は、その値が０でない場合は比較の対象とされていない特徴画像１０６があると判定する。
【００３５】
画像比較類似判定部１１１は、比較の対象とされていない特徴画像１０６があると判定すると（Ｓ４０３ Ｙｅｓ）、ステップＳ４０４に処理を移行する。また、比較の対象とされていない特徴画像１０６がないと判定すると（Ｓ４０３ Ｎｏ）、ステップＳ４０７に処理を移行する。画像比較類似判定部１１１は、比較の対象とされていない特徴画像１０６があると判定すると（Ｓ４０３ Ｙｅｓ）、識別名称文字列・特徴画像記憶部１１０に特徴画像選択トリガ１１２を送信し、比較されていない特徴画像１０６を取得する（Ｓ４０４）。
【００３６】
画像比較類似判定部１１１は、ステップＳ４０１で取得したフレーム画像と、ステップＳ４０４で取得した特徴画像１０６に関して、画素値平均を用いた画像比較を実行することで、フレーム画像が特徴画像１０６に類似しているか否かを判定する（Ｓ４０５）。画像比較類似判定部１１１は、フレーム画像が特徴画像１０６に類似していなかった場合（Ｓ４０５ Ｎｏ）、ステップＳ４０３に処理を返し、比較の対象とされていない特徴画像１０６があることを前提に、次に取得される特徴画像１０６との類似判定を行う。また、フレーム画像が特徴画像１０６に類似していた場合（Ｓ４０５ Ｙｅｓ）、画像比較類似判定部１１１は、ステップＳ４０６に処理を移行する。なお、本実施形態では、画像比較（即ち、類似判定）を実行する上で、画素値平均を用いているが、類似判定の方法は必ずしもこれに限定されない。
【００３７】
画像比較類似判定部１１１は、フレーム画像が特徴画像１０６に類似していると判定すると（Ｓ４０５ Ｙｅｓ）、識別名称文字列選択情報１１３を識別名称文字列・特徴画像記憶部１１０に通知する（Ｓ４０６）。なお、識別名称文字列選択情報１１３は、識別名称文字列・特徴画像記憶部１１０において、メニュー作成部１１５に引き渡す識別名称文字列１０８を選択するために用いられる。画像比較類似判定部１１１は、識別名称文字列選択情報１１３を識別名称文字列・特徴画像記憶部１１０に通知すると（Ｓ４０６）、更新する可能性があることを、更新トリガ１１４としてメニュー作成部１１５に通知する（Ｓ４０９）。
【００３８】
また、画像比較類似判定部１１１は、比較の対象とされていない特徴画像１０６がないと判定すると（Ｓ４０３ Ｎｏ）、別の入力端子１０１に関するデータテーブルであって、比較の対象とされていないデータテーブルがあるか否かを判定する（Ｓ４０７）。画像比較類似判定部１１１は、比較の対象とされていないデータテーブルがあると判定した場合（Ｓ４０７ Ｙｅｓ）、ステップＳ４０２に処理を返し、その後の処理を実行する。即ち、比較の対象としていないデータテーブルを識別名称文字列・特徴画像記憶部１１０から取得し（Ｓ４０４）、画像の類似判定を実行する（Ｓ４０５）。なお、比較の対象としていないデータテーブルが複数ある場合、比較の対象とするデータテーブルは、例えば、データテーブルの使用数、また入力端子の識別番号（即ち、１、２・・・Ｎ）等に従って選択される。
【００３９】
また、比較の対象としていないデータテーブルがないと判定した場合（Ｓ４０７ Ｎｏ）、全データテーブルの特徴画像１０６との比較で類似画像がないことを識別名称文字列選択情報１１３として識別名称文字列・特徴画像記憶部１１０に通知する（Ｓ４０８）。画像比較類似判定部１１１は、識別名称文字列選択情報１１３を識別名称文字列・特徴画像記憶部１１０に通知すると（Ｓ４０８）、更新する可能性があることを、更新トリガ１１４としてメニュー作成部１１５に通知する（Ｓ４０９）。
【００４０】
なお、メニュー作成部１１５は、更新トリガ１１４を受けると、識別名称文字列・特徴画像記憶部１１０において、識別名称文字列選択情報１１３に基づいて選択された識別名称文字列１０８を読み込むことで、更新可否を判定する。具体的には、読み込んだ識別名称文字列１０８と、直前に作成されたメニューの対応する入力端子の識別名称とを比較することで、更新可否を判定する。判定の結果、識別名称が異なる場合に、メニュー作成部１１５は、作成したメニューを表示制御部１１６に渡す。また、メニュー作成部１１５は、更新の可否を特別に判定することなく、作成したメニューで上書きすることを前提に、作成したメニューを表示制御部１１６に渡すこともできる。
【００４１】
図５は、実施形態に係る映像表示装置のメニュー作成部１１５で作成されるメニューの例である。メニュー５０１は、各入力端子１０１Ａ、Ｂ、・・・Ｎの接続機器に対応する識別名称文字列１０８が設定されている場合のメニュー例である。以降、メニュー５０２から５０４として、メニュー５０１の状態から入力端子１０１Ａの状態に変化があった場合に、その変化の内容に応じて作成されるメニューを例示する。
【００４２】
メニュー５０２は、入力端子１０１Ａにおいて接続機器の接続が解除された状態、即ち、入力端子１０１Ａに信号が入力されなくなった場合を例示している。この場合、メニュー作成部１１５は、入力信号１０２がないことを信号として受信すると、それを更新トリガ１１４として、入力端子１０１Ａの識別名称を「信号なし」に更新したメニューを作成する。なお、この識別名称（即ち、識別名称文字列）は、メニュー作成部１１５に記憶することも、また識別名称文字列・特徴画像記憶部１１０に記憶することもできる。
【００４３】
メニュー５０３は、以前に、映像表示装置（例えば、入力端子１０１Ｎ）に接続され、識別名称文字列・特徴画像記憶部１１０に識別名称文字列３０２及び特徴画像３０３が記憶された接続機器が、再度、入力端子１０１Ａに接続された場合を例示している。この場合、メニュー作成部１１５は、更新トリガ１１４を受けると、画像比較類似判定部１１１の判定結果に従って、識別名称文字列・特徴画像記憶部１１０から入力端子１０１Ｎのデータテーブルで記憶していた識別名称文字列１０８を読み込む。即ち、図５では、識別名称文字列１０８として「ＢさんＰＣ」を読み込む。そして、メニュー作成部１１５は、その識別名称文字列１０８に従って、入力端子１０１Ａの識別名称を「ＢさんＰＣ」に更新したメニューを作成する。
【００４４】
メニュー５０４は、未だ映像表示装置に接続されたことがなかった接続機器が新規に接続された場合を例示している。この場合、メニュー作成部１１５には、更新トリガ１１４を受けると、画像比較類似判定部１１１の判定結果に従って、識別名称文字列・特徴画像記憶部１１０から識別名称文字列１０８として類似画像がないことを表す文字列（メッセージ）を読み込む。即ち、図５では、識別名称文字列１０８として「名称未設定」を読み込む。そして、メニュー作成部１１５は、その識別名称文字列１０８に従って、入力端子１０１Ａの識別名称を「名称未設定」に更新したメニューを作成する。
【００４５】
また、補足として、メニュー５０５は、メニュー５０４の状態から、入力端子１０１Ａに接続された接続機器における特徴画像１０６と識別名称文字列１０８が記憶された場合を例示している。この場合、メニュー作成部１１５には、更新トリガ１１４を受けると、画像比較類似判定部１１１の判定結果に従って、識別名称文字列・特徴画像記憶部１１０から識別名称文字列１０８として新規に記憶した識別名称文字列１０８を読み込む。即ち、図５では、識別名称文字列１０８として「ＤＶＤレコーダー」を読み込む。そして、メニュー作成部１１５は、その識別名称文字列１０８に従って、入力端子１０１Ａの識別名称を「ＤＶＤレコーダー」に更新したメニューを作成する。以上説明した本実施形態の構成によれば、入力端子に接続される機器が変更された場合であっても、接続されている機器の識別名称を表示させることができる。これにより、ユーザが混乱する可能性を低減できる。
【００４６】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００４７】
１０３  表示信号選択部
１０５  画像キャプチャ部
１１０  識別名称文字列・特徴画像記憶部
１１１  画像比較類似判定部
１１５  メニュー作成部
【図１】
2018180092.tif 000003
【図２】
2018180092.tif 000004
【図３】
2018180092.tif 000005
【図４】
2018180092.tif 000006
【図５】
2018180092.tif 000007